(57)【要約】      （修正有）【課題】複数の入金処理に関する貨幣を同時にまたは順次投入することができる貨幣処理機を提供する。【解決手段】貨幣処理機１０の制御部は、貨幣の入金処理を行う際に、取引金額入力手段４５により入力された貨幣の取引金額から、一時保留部に搬送された貨幣の金額を減算することにより差額を算出し、識別部により識別された一の貨幣の金額が差額以下である場合にはこの貨幣を一時保留部に搬送する。制御部は、差額が０となったときに、一時保留部に搬送された貨幣の金額と取引に係る情報とを関連づけて記憶するとともに、一時保留部にある貨幣を貨幣収納部４０で収納するような入金処理を行う。第１の取引に関連する入金処理を行う間に、第２の取引における貨幣の取引金額が入力されるとともに第２の取引に係る情報が入力されると、第１の取引に関連する入金処理の後に第２の取引に関連する入金処理を自動的に行う。【選択図】図１
2010224738.tif 000002
【特許請求の範囲】
【請求項１】
貨幣の処理を行う貨幣処理機であって、
筐体と、
前記筐体内へ貨幣を投入するための貨幣投入口と、
前記筐体内に設けられ、前記貨幣投入口より投入された貨幣の搬送を行う搬送部と、
前記搬送部に設置され、前記貨幣投入口より投入され前記搬送部で搬送された貨幣の識別を行う識別部と、
前記筐体内に設けられ、前記識別部により識別された貨幣を一時的に保留することが可能な一時保留部と、
前記搬送部に接続され、当該搬送部から送られた貨幣を前記筐体の外部に戻す貨幣返却部と、
前記筐体内に設けられ、貨幣の収納を行う貨幣収納部と、
前記貨幣投入口に投入された貨幣に関する取引における貨幣の取引金額を入力するための取引金額入力手段と、
前記貨幣投入口に投入された貨幣に関する取引の取引情報を入力するための取引情報入力手段と、
前記搬送部および前記一時保留部の制御を行う制御部であって、貨幣の入金処理を行う際に、前記識別部が貨幣の金種を識別し、この貨幣の金額が前記取引金額以下である場合にはこの貨幣を前記一時保留部に搬送するとともに前記取引金額からこの貨幣の金額を減算することにより差額を算出し、前記差額が０にならないとき、前記識別部が貨幣の金種を識別する毎に、この貨幣の金額が前記差額以下である場合にはこの貨幣を前記一時保留部に搬送するとともに前記差額からこの貨幣の金額を減算することにより新たな差額を算出し、前記差額が０となったときに、前記一時保留部に搬送された貨幣の金額と前記取引情報入力手段により入力された取引情報とを関連づけて記憶するとともに、前記一時保留部に搬送された貨幣を前記貨幣収納部に搬送してこの貨幣収納部で収納するような入金処理を行い、また、第１の取引に関連する入金処理を行う間に、第２の取引における貨幣の取引金額が前記取引金額入力手段により入力されるとともに第２の取引の取引情報が前記取引情報入力手段により入力されると、前記第１の取引に関連する入金処理の後に、第２の取引に関連する入金処理を自動的に行うよう制御を行う制御部と、
を備えたことを特徴とする貨幣処理機。
【請求項２】
前記制御部は、貨幣の入金処理を行う間に前記差額が０となったときに確定の入力を要求し、この確定の入力が行われた後に、前記一時保留部に搬送された貨幣の金額と前記取引情報入力手段により入力された取引情報とを関連づけて記憶するとともに、前記一時保留部に搬送された貨幣を前記貨幣収納部に搬送してこの貨幣収納部で収納するよう制御を行うことを特徴とする請求項１記載の貨幣処理機。
【請求項３】
貨幣の処理を行う貨幣処理機であって、
筐体と、前記筐体内へ貨幣を投入するための貨幣投入口と、前記筐体内に設けられ、前記貨幣投入口より投入された貨幣の搬送を行う搬送部と、前記搬送部に設置され、前記貨幣投入口より投入され前記搬送部で搬送された貨幣の識別を行う識別部と、前記筐体内に設けられ、前記識別部により識別された貨幣を一時的に保留することが可能な一時保留部と、前記搬送部に接続され、当該搬送部から送られた貨幣を前記筐体の外部に戻す貨幣返却部と、を各々が有する少なくとも２つの貨幣処理ユニットと、
前記各貨幣処理ユニットから貨幣が送られ、この貨幣の収納を行う貨幣収納部と、
前記複数の貨幣処理ユニットのうちいずれかの貨幣処理ユニットの貨幣投入口に投入された貨幣に関する取引の取引情報を入力するための取引情報入力手段と、
前記各貨幣処理ユニットの前記搬送部および前記一時保留部の制御を行う制御部であって、複数の貨幣処理ユニットのうち貨幣が投入された貨幣処理ユニットは、投入された貨幣の金額を前記識別部により計数し、この計数された貨幣の金額と前記取引情報入力手段により入力された取引情報とを関連づけて記憶するとともに、前記一時保留部に搬送された貨幣を前記貨幣収納部に搬送してこの貨幣収納部で収納するような入金処理を行い、また、第１の取引に関連する入金処理を一の貨幣処理ユニットで行う間に、第２の取引の取引情報が前記取引情報入力手段により入力されると、前記第１の取引に関連する入金処理が行われる一の貨幣処理ユニットとは別の他の貨幣処理ユニットにおいて貨幣の入金処理を自動的に行うよう制御を行う制御部と、
を備えたことを特徴とする貨幣処理機。
【発明の詳細な説明】
【技術分野】
【０００１】
本発明は、筐体の外部から内部に取り込まれた紙幣や硬貨等からなる貨幣を貨幣収納部に収納する貨幣処理機に関する。なお、本明細書における「貨幣」は紙幣であっても硬貨であってもよい。
【背景技術】
【０００２】
従来より、硬貨や紙幣からなる貨幣を筐体内に収納させる貨幣処理機として、例えば、特許文献１乃至４等に開示されるものが知られている。このような貨幣処理機は、例えば、店舗等において売上金等の貨幣の入金処理、釣銭等の貨幣の出金処理、および回収業務を行う収集業者へ売上金等の貨幣を引き渡す引渡処理等を行うようになっている。
【０００３】
従来の貨幣処理機には、筐体内に設けられ、貨幣の収納を行う貨幣収納部と、筐体内へ貨幣を投入するための貨幣投入口と、貨幣投入口により筐体内に投入された貨幣の搬送を行う搬送部と、搬送部に設置され、当該搬送部で搬送される貨幣の識別を行う識別部と、搬送部に接続され、当該搬送部から送られた貨幣を筐体の外部に戻す貨幣返却部と、搬送部に接続され、貨幣収納部へ収納する貨幣を一時的に保留する一時保留部とがそれぞれ設けられている。そして、搬送部や一時保留部が制御部により制御されることによって、貨幣投入口により筐体内に投入された貨幣が搬送部により筐体内で搬送され、識別部により貨幣の識別が行われた後にこの貨幣は一時保留部で一時的に保留され、最終的にはこの一時的に保留された貨幣は貨幣収納部に収納されるようになっている。
【先行技術文献】
【特許文献】
【０００４】
【特許文献１】特開平６−２６６９６３号公報
【特許文献２】特開２００１−６７５２６号公報
【特許文献３】特開２００２−３１２８２１号公報
【特許文献４】特開平５−２８２５２８号公報
【発明の概要】
【発明が解決しようとする課題】
【０００５】
特許文献２に開示される貨幣処理機においては、種類が混じっている貨幣（具体的には、例えば金種等が混じっている貨幣）を識別計数し、識別計数された貨幣を混合状態で一時保留部に一時的に保留し、一時保留部で一時的に保留された貨幣を一括して貨幣収納部に収納または返却するようになっている。このような貨幣処理機では、一時保留部で一時的に保留された貨幣を迅速に収納または返却することができる。ここで、貨幣収納部の管理権限は、収集業者の収集特定者側にあり、貨幣が貨幣収納部に収納されると、店舗側から収集特定者側に貨幣が引き渡されたこととなる。
【０００６】
しかしながら、特許文献２に開示される貨幣処理機においては、入金された貨幣の収納が終了した後、次の入金処理が開始するため、１台の貨幣処理機に対して入金処理を行いたい人が複数いる場合には、先の入金処理が終わるまで、次の人は待つしかなかった。そして、次の人が入金処理を開始するための操作を行っている間は、貨幣処理機は停止している。
【０００７】
また、特許文献４に開示される自動取引装置は、１つの入出金機構に対して操作部が２組設けられており、１台で２つの処理（具体的には、例えば店舗等における売上金等の貨幣の入金処理）を同時並行して行うことができるようになっている。ここで、操作者による操作入力に時間がかかる場合には、操作部が２組あると処理時間を短縮することができる。このように、特許文献４に開示される自動取引装置は、操作に慣れていないような不特定多数の一般の操作者を対象とする装置として用いられるのに向いている。不特定多数の一般の操作者の中には、貨幣処理機の操作に要する時間が、操作に慣れた操作者による操作時間よりも大幅に大きくなってしまう人がいるからである。
【０００８】
これに対して、例えば、多数の店舗が存在しており多数のレジが設けられたショッピングセンター等では、１台または複数台の貨幣処理機が設置されており、店舗の閉店後にレジにて余剰となった売上金に係る貨幣を貨幣処理機に入金する作業が行われている。この際に、一般的に、ショッピングセンターに設置される貨幣処理機の台数はレジの台数よりも少ないため、入金作業が集中すると、先の入金作業の終了を待つ操作者の待ち時間が大きくなってしまうという問題がある。このような問題を解決するための方法として、貨幣処理機の台数を増やす方法や、特許文献４に示すように貨幣処理機に複数組の操作部を設ける方法が考えられる。しかしながら、前者の方法は、貨幣処理機の設置における投資コストが大きくなってしまい、後者の方法は、入金機構が１つなので入金処理が複数同時に行えないため、処理時間の短縮につながらないという面で好ましくない。
【０００９】
ここで、ショッピングセンター等において、レジにある貨幣を貨幣処理機に入金する操作者は、不特定多数の一般の操作者ではなく、操作に熟練した特定の人がほとんどである。このため、入金作業が集中したときに待ち時間が大きくなる要因は、貨幣処理機の操作に要する時間ではなく、貨幣処理機における貨幣の入金処理に要する時間である。すなわち、操作者の人為的な要因ではなく、貨幣処理機の機械的な要因によって、入金作業が集中したときの待ち時間が大きくなる。このような問題を解決するために、貨幣処理機を高速化する方法が考えられる。しかしながら、貨幣処理機を高速化すると、この貨幣処理機の価格も高くなり、投資コストが大きくなってしまうという問題がある。
【００１０】
本発明は、このような点を考慮してなされたものであり、複数の入金処理に関する貨幣を同時にまたは順次投入することができ、先の入金処理が行われる間に、次の入金処理に関する操作を行うとともに貨幣を予め投入しておけば、先の入金処理の終了後に自動的に次の入金処理が始まる貨幣処理機を提供することを目的とする。このようにすれば、例えば、操作者は先の入金処理の終了を待たずに貨幣処理機から離れることができ、待ち時間を有効に使うことができる。
【課題を解決するための手段】
【００１１】
本発明の貨幣処理機は、貨幣の処理を行う貨幣処理機であって、筐体と、前記筐体内へ貨幣を投入するための貨幣投入口と、前記筐体内に設けられ、前記貨幣投入口より投入された貨幣の搬送を行う搬送部と、前記搬送部に設置され、前記貨幣投入口より投入され前記搬送部で搬送された貨幣の識別を行う識別部と、前記筐体内に設けられ、前記識別部により識別された貨幣を一時的に保留することが可能な一時保留部と、前記搬送部に接続され、当該搬送部から送られた貨幣を前記筐体の外部に戻す貨幣返却部と、前記筐体内に設けられ、貨幣の収納を行う貨幣収納部と、前記貨幣投入口に投入された貨幣に関する取引における貨幣の取引金額を入力するための取引金額入力手段と、前記貨幣投入口に投入された貨幣に関する取引の取引情報を入力するための取引情報入力手段と、前記搬送部および前記一時保留部の制御を行う制御部であって、貨幣の入金処理を行う際に、前記識別部が貨幣の金種を識別し、この貨幣の金額が前記取引金額以下である場合にはこの貨幣を前記一時保留部に搬送するとともに前記取引金額からこの貨幣の金額を減算することにより差額を算出し、前記差額が０にならないとき、前記識別部が貨幣の金種を識別する毎に、この貨幣の金額が前記差額以下である場合にはこの貨幣を前記一時保留部に搬送するとともに前記差額からこの貨幣の金額を減算することにより新たな差額を算出し、前記差額が０となったときに、前記一時保留部に搬送された貨幣の金額と前記取引情報入力手段により入力された取引情報とを関連づけて記憶するとともに、前記一時保留部に搬送された貨幣を前記貨幣収納部に搬送してこの貨幣収納部で収納するような入金処理を行い、また、第１の取引に関連する入金処理を行う間に、第２の取引における貨幣の取引金額が前記取引金額入力手段により入力されるとともに第２の取引の取引情報が前記取引情報入力手段により入力されると、前記第１の取引に関連する入金処理の後に、第２の取引に関連する入金処理を自動的に行うよう制御を行う制御部と、を備えたことを特徴とする。
【００１２】
このような貨幣処理機によれば、貨幣の入金処理を行う際に、取引金額入力手段により入力された貨幣の取引金額から、一時保留部に搬送された貨幣の金額を減算することにより差額を算出する。そして、識別部により識別された一の貨幣の金額が前述の差額以下である場合にはこの貨幣を一時保留部に搬送し、識別部により識別された一の貨幣の金額が前述の差額より大きい場合にはこの貨幣を貨幣返却部に搬送する。そして、差額が０となったときに、一時保留部に搬送された貨幣の金額と、取引情報入力手段により入力された取引情報とを関連づけて記憶する。また、この際に、一時保留部に搬送された貨幣を貨幣収納部に搬送してこの貨幣収納部で収納する。このことにより、一の取引において、取引金額入力手段に入力された取引金額分の貨幣を貨幣収納部に収納させることができるとともに、貨幣収納部に収納される前に一時保留部に搬送された貨幣の金額と、取引情報入力手段により入力された取引情報とを関連づけて記憶させることができる。
【００１３】
また、上述の貨幣処理機によれば、第１の取引に関連する入金処理を行う間に、第２の取引における貨幣の取引金額が取引金額入力手段により入力されるとともに第２の取引の取引情報が取引情報入力手段により入力されると、第１の取引に関連する入金処理の後に、第２の取引に関連する入金処理を自動的に行うようになっている。このため、複数の入金処理に関する貨幣を同時にまたは順次投入することができ、先の入金処理が行われる間に、次の入金処理に関する操作を取引金額入力手段および取引情報入力手段で行うとともに貨幣を予め貨幣処理機に投入しておけば、先の入金処理の終了後に自動的に次の入金処理が始まる。このことにより、第２の取引を行う操作者は第１の取引に係る先の入金処理の終了を待たずに貨幣処理機から離れることができる。したがって、第２の取引を行う操作者は、先の入金処理が行われる間、待ち時間を有効に使うことができる。
【００１４】
本発明の貨幣処理機においては、前記制御部は、貨幣の入金処理を行う間に前記差額が０となったときに確定の入力を要求し、この確定の入力が行われた後に、前記一時保留部に搬送された貨幣の金額と前記取引情報入力手段により入力された取引情報とを関連づけて記憶するとともに、前記一時保留部に搬送された貨幣を前記貨幣収納部に搬送してこの貨幣収納部で収納するよう制御を行うことが好ましい。このことにより、操作者は、入金処理の結果を都度確認することができる。
【００１５】
本発明の貨幣処理機は、貨幣の処理を行う貨幣処理機であって、筐体と、前記筐体内へ貨幣を投入するための貨幣投入口と、前記筐体内に設けられ、前記貨幣投入口より投入された貨幣の搬送を行う搬送部と、前記搬送部に設置され、前記貨幣投入口より投入され前記搬送部で搬送された貨幣の識別を行う識別部と、前記筐体内に設けられ、前記識別部により識別された貨幣を一時的に保留することが可能な一時保留部と、前記搬送部に接続され、当該搬送部から送られた貨幣を前記筐体の外部に戻す貨幣返却部と、を各々が有する少なくとも２つの貨幣処理ユニットと、前記各貨幣処理ユニットから貨幣が送られ、この貨幣の収納を行う貨幣収納部と、前記複数の貨幣処理ユニットのうちいずれかの貨幣処理ユニットの貨幣投入口に投入された貨幣に関する取引の取引情報を入力するための取引情報入力手段と、前記各貨幣処理ユニットの前記搬送部および前記一時保留部の制御を行う制御部であって、複数の貨幣処理ユニットのうち貨幣が投入された貨幣処理ユニットは、投入された貨幣の金額を前記識別部により計数し、この計数された貨幣の金額と前記取引情報入力手段により入力された取引情報とを関連づけて記憶するとともに、前記一時保留部に搬送された貨幣を前記貨幣収納部に搬送してこの貨幣収納部で収納するような入金処理を行い、また、第１の取引に関連する入金処理を一の貨幣処理ユニットで行う間に、第２の取引の取引情報が前記取引情報入力手段により入力されると、前記第１の取引に関連する入金処理が行われる一の貨幣処理ユニットとは別の他の貨幣処理ユニットにおいて貨幣の入金処理を自動的に行うよう制御を行う制御部と、を備えたことを特徴とする。
【００１６】
このような貨幣処理機によれば、複数の貨幣処理ユニットのうち貨幣が投入された貨幣処理ユニットにおける筐体内へ投入された貨幣の金額を識別部により計数し、この計数された貨幣の金額と、取引情報入力手段により入力された取引情報とを関連づけて記憶する。また、この際に、一時保留部に搬送された貨幣を貨幣収納部に搬送してこの貨幣収納部で収納する。このことにより、一の取引において、貨幣収納部に収納される前に一時保留部に搬送された貨幣の金額と、取引情報入力手段により入力された取引情報とを関連づけて記憶させることができる。
【００１７】
また、上述の貨幣処理機によれば、第１の取引に関連する入金処理を一の貨幣処理ユニットで行う間に、第２の取引の取引情報が取引情報入力手段により入力されると、第１の取引に関連する入金処理が行われる一の貨幣処理ユニットとは別の他の貨幣処理ユニットにおいて貨幣の入金処理を自動的に行うようになっている。このため、複数の入金処理に関する貨幣を、取引毎に複数の貨幣処理ユニットの各々に同時にまたは順次投入することができ、先の入金処理が行われる間に、次の入金処理に関する操作を取引情報入力手段で行うとともに貨幣を予め他の貨幣処理ユニットに投入しておけば、一の貨幣処理ユニットにおいて先の入金処理が行われている最中でも、自動的に次の入金処理が他の貨幣処理ユニットで始まる。このことにより、第２の取引を行う操作者は第１の取引に係る先の入金処理の終了を待たずに貨幣処理機から離れることができる。したがって、第２の取引を行う操作者は、先の入金処理が行われる間、待ち時間を有効に使うことができる。
【発明の効果】
【００１８】
本発明の貨幣処理機によれば、複数の入金処理に関する貨幣を同時にまたは順次投入することができ、先の入金処理が行われる間に、次の入金処理に関する操作を行うとともに貨幣を予め投入しておけば、先の入金処理の終了後に自動的に次の入金処理が始まるようにすることができる。
【図面の簡単な説明】
【００１９】
【図１】本発明の一の実施の形態における貨幣処理機を示す斜視図である。
【図２】図１に示す貨幣処理機における紙幣処理装置の構成の概略を示す概略構成図である。
【図３】図１に示す貨幣処理機における硬貨処理装置の構成の概略を示す概略構成図である。
【図４】図１に示す貨幣処理機における制御ブロック図である。
【図５】図１に示す貨幣処理機において、貨幣収納部を筐体から手前側に引き出したときの状態を示す斜視図である。
【図６】本発明の一の実施の形態における他の貨幣処理機を示す斜視図である。
【図７】本発明の一の実施の形態における更に他の貨幣処理機を示す斜視図である。
【図８】図７に示す貨幣処理機における硬貨振り分けユニットの縦断面図である。
【発明を実施するための形態】
【００２０】
以下、図面を参照して本発明の一の実施の形態の貨幣処理機について説明する。本実施の形態に係る貨幣処理機は、筐体の外部から内部に取り込まれた紙幣や硬貨等からなる貨幣を貨幣収納部に収納する機能を有している。図１乃至図５は、本発明による貨幣処理機の一の実施の形態を示す図である。このうち、図１は、本実施の形態における貨幣処理機を示す斜視図であり、図２は、図１に示す貨幣処理機における紙幣処理装置の構成の概略を示す概略構成図であり、図３は、図１に示す貨幣処理機における硬貨処理装置の構成の概略を示す概略構成図である。また、図４は、図１に示す貨幣処理機における制御ブロック図である。また、図５は、図１に示す貨幣処理機において、貨幣収納部を筐体から手前側に引き出したときの状態を示す斜視図である。
【００２１】
図１に示すように、貨幣処理機１０は略直方体形状の筐体１１を備えており、この筐体１１には、貨幣処理機１０を前方から見て右側に配置された紙幣処理装置２０と、左側に配置された硬貨処理装置３０とがそれぞれ左右に並ぶよう設けられている。また、貨幣処理機１０の筐体１１において、紙幣処理装置２０および硬貨処理装置３０の下方には、硬貨および紙幣をそれぞれ収納する貨幣収納部４０が設けられている。ここで、貨幣処理機１０のうち、紙幣処理装置２０および硬貨処理装置３０は店舗側の管理権限下にあり、貨幣収納部４０は収集特定者側の管理権限下にある。以下、紙幣処理装置２０、硬貨処理装置３０および貨幣収納部４０の各構成要素について詳述する。
【００２２】
まず、貨幣収納部４０の構成について図１乃至図５、とりわけ図５を用いて説明する。図１等に示すように、貨幣処理機１０の筐体１１の下部に貨幣収納部４０が設けられている。図５は、図１に示す貨幣処理機１０において、貨幣収納部４０を筐体１１から手前側に引き出したときの状態を示す斜視図である。図５に示すように、貨幣収納部４０は、２つの紙幣収納カセット４１ａ、４１ｂおよび２つの硬貨収納カセット４２ａ、４２ｂを有している。ここで、図２に示すように、２つの紙幣収納カセット４１ａ、４１ｂは紙幣処理装置２０に対応して設けられており、一方、図３に示すように、２つの硬貨収納カセット４２ａ、４２ｂは硬貨処理装置３０に対応して設けられている。
【００２３】
各紙幣収納カセット４１ａ、４１ｂには、紙幣処理装置２０の一時保留部２９（後述）に搬送された紙幣がこの一時保留部２９から送られるようになっている。また、各硬貨収納カセット４２ａ、４２ｂには、硬貨処理装置３０の一時保留部３７（後述）に搬送された硬貨が送られるようになっている。
【００２４】
そして、例えば売上金の回収業務を行う収集特定者によって、貨幣収納部４０が筐体１１から手前側に引き出され、各収納カセット４１ａ、４１ｂ、４２ａ、４２ｂが貨幣収納部４０の本体部分４０ａから取り出され、収集特定者が各収納カセット４１ａ、４１ｂ、４２ａ、４２ｂ自体を回収するようになっている。より具体的には、図２に示すように、紙幣収納カセット４１ａ、４１ｂには、それぞれ規制ユニット４１ｃ、４１ｄが設けられている。そして、規制ユニット４１ｃは、本体部分４０ａからの紙幣収納カセット４１ａの取り出しを規制するようになっており、規制ユニット４１ｄは、本体部分４０ａからの紙幣収納カセット４１ｂの取り出しを規制するようになっている。また、図３に示すように、各硬貨収納カセット４２ａ、４２ｂには、それぞれ規制ユニット４２ｃ、４２ｄが設けられている。そして、規制ユニット４２ｃは、本体部分４０ａからの硬貨収納カセット４２ａの取り出しを規制するようになっており、規制ユニット４２ｄは、本体部分４０ａからの硬貨収納カセット４２ｂの取り出しを規制するようになっている。
【００２５】
前述のように、貨幣収納部４０の管理権限は収集特定者側にある。このため、貨幣収納部４０を筐体１１から引き出したり、各規制ユニット４１ｃ、４１ｄ、４２ｃ、４２ｄによる各収納カセット４１ａ、４１ｂ、４２ａ、４２ｂの取り出しの規制を解除したりすることはできるのは収集特定者に限定される。すなわち、店舗側の操作者は、貨幣収納部４０を筐体１１から引き出したり、各規制ユニット４１ｃ、４１ｄ、４２ｃ、４２ｄによる各収納カセット４１ａ、４１ｂ、４２ａ、４２ｂの取り出しの規制を解除したりすることはできないようになっている。
【００２６】
より具体的に説明すると、図５に示すように、貨幣収納部４０の本体部分４０ａの上面において、各収納カセット４１ａ、４１ｂ、４２ａ、４２ｂの近傍には、それぞれ鍵穴４１ｅ、４１ｆ、４２ｅ、４２ｆが設けられている。各鍵穴４１ｅ、４１ｆ、４２ｅ、４２ｆの構成は互いに異なるようになっており、それぞれ異なる構成の鍵が各鍵穴４１ｅ、４１ｆ、４２ｅ、４２ｆに差し込まれるようになっている。そして、各鍵穴４１ｅ、４１ｆ、４２ｅ、４２ｆにそれぞれ鍵を差し込み、この鍵を回すことにより、各規制ユニット４１ｃ、４１ｄ、４２ｃ、４２ｄを動作させ、本体部分４０ａからの各収納カセット４１ａ、４１ｂ、４２ａ、４２ｂの取り出しの規制を解除するようになっている。この場合、各鍵穴４１ｅ、４１ｆ、４２ｅ、４２ｆに対応する各鍵は全て収集特定者が有している。
【００２７】
あるいは、各規制ユニット４１ｃ、４１ｄ、４２ｃ、４２ｄは、例えば自動ロック機構からなり、収集特定者が持つＩＤカードによって収集特定者のＩＤ情報を確認してその収集特定者に権限があるか否かを上位装置（後述）に照会し、収集特定者に権限があることが確認された場合に自動ロック機構の解除を行うようになっていてもよい。
【００２８】
なお、紙幣や硬貨を収納するために貨幣収納部４０に設置されるものはカセットに限定されることはない。例えば、複数の収納袋を貨幣収納部４０に設置し、貨幣収納部４０において紙幣や硬貨を各収納袋に収納させるようにしてもよい。
【００２９】
次に、紙幣処理装置２０の構成について図１および図２を用いて説明する。図１および図２に示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。
【００３０】
紙幣投入口２１は、操作者により１または束状態の複数の紙幣が短手方向に一括して投入されるよう構成されている。図１に示すように、この紙幣投入口２１には手動で開閉可能な紙幣投入口カバー２８が配設されており、紙幣投入口カバー２８が開いたときのみに操作者は紙幣を紙幣投入口２１に投入することができるようになっている。図２に示すように、紙幣投入口２１は搬送部２５に接続されており、紙幣投入口２１に投入された１または束状態の複数の紙幣は、１枚ずつ繰り出されて搬送部２５で搬送されるようになっている。
【００３１】
紙幣リジェクト口２２は、図２に示すように搬送部２５に接続されており、紙幣投入口２１により紙幣処理装置２０内に取り込まれた紙幣のうち後述する識別部２６によりリジェクトすべき紙幣であると識別された紙幣等が搬送部２５から送られるようになっている。操作者はこの紙幣リジェクト口２２に送られた紙幣を取り出すことができるようになっている。紙幣リジェクト口２２にはカバー（図示せず）が設けられており、待機時にはこのカバーは開状態となっており、処理時にはこのカバーは閉状態となる。
【００３２】
紙幣返却口２３には、図２に示すように、搬送部２５に接続された一時保留部２９が設けられている。この一時保留部２９には、搬送部２５から紙幣が送られて集積されるようになっている。また、紙幣返却口２３には開閉可能な扉２４が設けられている。一時保留部２９にある紙幣を返却する場合には、一時保留部２９の装置前面側の壁面が開いて、操作者は扉２４から紙幣を取り出すことができるようになっている。扉２４は、紙幣が取れる状態になれば、自動的に開くようになっている。なお、後述のように、一時保留部２９内に保留された紙幣は、操作者により紙幣返却口２３から取り出される代わりに、貨幣収納部４０内に配置された紙幣収納カセット４１ａ、４１ｂに送られる場合もある。
【００３３】
搬送部２５は、紙幣処理装置２０の内部で紙幣を１枚ずつ順次搬送する機能を有している。具体的には、搬送部２５において、紙幣は一対のベルト間に挟まれて搬送されるようになっている。また、図２に示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。図２に示すように、搬送部２５は、紙幣投入口２１に投入された紙幣を紙幣リジェクト口２２または一時保留部２９に搬送するよう構成されている。
【００３４】
図２に示すように、搬送部２５には、当該搬送部２５で搬送される紙幣の識別を１枚ずつ行う識別部２６が設置されている。この識別部２６は、搬送部２５で搬送される紙幣の金種、真偽、正損等を識別するようになっている。具体的には、識別部２６は、磁気センサや光学センサを有し、これらのセンサにより紙幣の金種や真偽等を１枚ずつ識別するようになっている。識別部２６による紙幣の識別結果は後述する制御部１５に送られるようになっている。
【００３５】
一時保留部２９は、前述のように紙幣返却口２３に設けられており、図２に示すように搬送部２５に接続されている。この一時保留部２９には、紙幣投入口２１に投入された紙幣が搬送部２５により送られるようになっており、搬送部２５から送られた紙幣を束状態で複数保留することができるようになっている。ここで、操作者により扉２４が開かれることによって操作者は一時保留部２９内に収納された紙幣を取り出すことができるようになっている。また、一時保留部２９の底面には開閉が可能な底板が設けられ、紙幣は底板に載せられるようになっている。ここで、図２に示すように、一時保留部２９は、紙幣収納カセット４１ａの上方の位置（図２における実線の位置）と、紙幣収納カセット４１ｂの上方の位置（図２における二点鎖線の位置）との間で往復移動するようになっている。そして、一時保留部２９に搬送された紙幣を紙幣収納カセット４１ａに収納させる際には、一時保留部２９を紙幣収納カセット４１ａの上方の位置に移動させ、一方、一時保留部２９に搬送された紙幣を紙幣収納カセット４１ｂに収納させる際には、一時保留部２９を紙幣収納カセット４１ｂの上方の位置に移動させるようになっている。
【００３６】
一時保留部２９にある紙幣を紙幣収納カセット４１ａまたは紙幣収納カセット４１ｂに収納させる動作について以下に説明する。ここでは、一時保留部２９にある紙幣を紙幣収納カセット４１ａに収納させる動作について説明するが、一時保留部２９にある紙幣を紙幣収納カセット４１ｂに収納させる動作についても同様である。一時保留部２９にある紙幣を紙幣収納カセット４１ａに収納させる際に、まず、この紙幣収納カセット４１ａに設けられたステージが上昇し、ステージ上の紙幣の上面が一時保留部２９の底板のすぐ下まで移動する。そして、底板が水平に移動して開き、一時保留部２９内の紙幣はステージ上の紙幣の上に落下する。そして、ステージ上の紙幣を上から押さえ部材で押さえた状態で、ステージが下降し、紙幣を紙幣収納カセット４１ａへ収納するようになっている。
【００３７】
次に、硬貨処理装置３０の構成について図１および図３を用いて説明する。図１および図３に示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクト硬貨の返却を行うとともに硬貨処理装置３０内に取り込まれた硬貨のうち貨幣収納部４０に収納されない硬貨を硬貨処理装置３０の外部に返却する硬貨返却口３３とを備えている。硬貨投入口３１には、開閉可能な硬貨投入口カバー３１ａが配置されている。また、硬貨返却口３３には、硬貨返却ボックス３３ａが引き出し可能に配置されている。
【００３８】
硬貨処理装置３０の内部には、硬貨投入口３１から投入された硬貨を受け入れて貯留し、硬貨を１枚ずつ繰り出すとともに、下部を開放して変形硬貨や異物等の落下放出を可能とした貯留繰出部３４が設けられている。この貯留繰出部３４の下部には開閉機構（図示せず）が設けられており、この開閉機構が開状態となったときに、貯留繰出部３４内の変形硬貨や異物等は下方に落下放出されるようになっている。
【００３９】
また、硬貨処理装置３０の内部には、貯留繰出部３４から繰り出された硬貨を１枚ずつ搬送し、搬送中に識別部３５ａで硬貨の金種、真偽、正損等を識別し、その識別結果に基づき硬貨を搬送先別に分岐させる搬送部３５が設けられている。また、搬送部３５は、硬貨返却ボックス３３ａに接続され、当該搬送部３５からリジェクトされた硬貨等を硬貨返却ボックス３３ａに返却する。搬送部３５は、貯留繰出部３４に接続された上流側端部から筐体１１の奥側に向かって（図３の右方に向かって）延設されるとともに、筐体１１の奥側で上側に折り返されて筐体１１の前側に向かって（図３の左方に向かって）延設され、硬貨返却ボックス３３ａ内に硬貨を落下可能に配設されている。
【００４０】
搬送部３５における、識別部３５ａよりも搬送方向下流側の途中位置には、識別部３５ａで正規の硬貨であると識別された硬貨を搬送部３５から分岐させる分岐部材３５ｂが設けられている。この分岐部材３５ｂは、識別部３５ａによる硬貨の識別結果に基づいて搬送部３５の搬送通路内に進退し、後述する一時保留部３７に搬送される硬貨を搬送部３５から分岐させるとともに、リジェクトする硬貨をそのまま搬送部３５で搬送させる。分岐部材３５ｂの位置には、当該分岐部材３５ｂで分岐された硬貨を受け入れて下方へ案内するシュート３５ｃの上端部が配置されている。シュート３５ｃの下端部は、第１の収納位置ａ（後述）に位置する一時保留部３７の上方に配置されている。
【００４１】
図３に示すように、硬貨処理装置３０の内部には、搬送部３５から送り出された硬貨を一時的に保留することが可能な一時保留部３７が設けられている。この一時保留部３７は、上下方向に開口された枠状に形成されており、筐体１１内の貯留繰出部３４の下側に配置されるとともに、駆動機構３７ｂによって筐体１１の奥行き方向に往復移動するようになっている（すなわち、一時保留部３７は図３の左右方向に往復移動するようになっている）。なお、一時保留部３７は、貯留繰出部３４の硬貨収納容量より多い硬貨を収納することができるようになっている。
【００４２】
一時保留部３７の停止位置は、硬貨収納カセット４２ａの上方の位置である第１の収納位置ａ、貯留繰出部３４の下方の位置である排除位置ｂ、硬貨返却ボックス３３ａの上方の位置である返却位置ｃ、および硬貨収納カセット４２ｂの上方の位置である第２の収納位置ｄの４位置となっている（図３参照）。一時保留部３７の各位置ａ〜ｄは、位置検知手段３７ｃによって検知されるようになっている。一時保留部３７は第１の収納位置ａを定位置としている。
【００４３】
また、一時保留部３７の下側には、この一時保留部３７の下面を閉塞する底板３７ａが配設されている。この底板３７ａは略水平方向に延びており、駆動機構３７ｆによって筐体１１の奥行き方向に往復移動するようになっている（すなわち、底板３７ａは図３の左右方向に往復移動するようになっている）。底板３７ａの停止位置は、第１の収納位置ａにある一時保留部３７の真下の位置である第１の位置ｍ、および第２の収納位置ｄにある一時保留部３７の真下の位置である第２の位置ｎの２位置となっている（図３参照）。底板３７ａの各位置ｍ、ｎは、位置検知手段３７ｇによって検知されるようになっている。底板３７ａは第１の位置ｍを定位置としている。
【００４４】
また、第１の収納位置ａに位置する一時保留部３７の下側には、この一時保留部３７内の硬貨を硬貨収納カセット４２ａに送るための硬貨収納シュート３７ｄが設けられている。また、第２の収納位置ｄに位置する一時保留部３７の下側には、この一時保留部３７内の硬貨を硬貨収納カセット４２ｂに送るための硬貨収納シュート３７ｅが設けられている。
【００４５】
一時保留部３７が定位置（第１の収納位置ａ）にあるとともに、底板３７ａが定位置（第１の位置ｍ）にある場合には、図３に示すように、一時保留部３７は、搬送部３５からシュート３５ｃを介して送り出されてくる硬貨を受け取り、この受け取った硬貨を一時的に保留するようになっている。一方、一時保留部３７が定位置（第１の収納位置ａ）にあるとともに、底板３７ａが第２の位置ｎにある場合には、搬送部３５からシュート３５ｃを介して送り出されてくる硬貨は、一時保留部３７を通過して（すなわち、一時保留部３７で一時的に保留されることなく）そのまま硬貨収納シュート３７ｄに送られ、最終的に硬貨収納カセット４２ａに送られることとなる。
【００４６】
このように、一時保留部３７が定位置（第１の収納位置ａ）にあるとともに、底板３７ａが第２の位置ｎにある場合には、搬送部３５からシュート３５ｃを介して一時保留部３７に送り出されてくる硬貨を硬貨収納カセット４２ａにダイレクト入金（一時的な保留を行わないような入金）することができる。
【００４７】
一時保留部３７が排除位置ｂにあるとともに、底板３７ａが定位置（第１の位置ｍ）にある場合には、この一時保留部３７は、貯留繰出部３４から落下放出される硬貨を受け入れる。この際に、一時保留部３７が底板３７ａから部分的に外れることにより一時保留部３７の底面が部分的に開口され、この一時保留部３７に受け入れられた硬貨の一部は下方にある硬貨返却ボックス３３ａに落下放出されるようになっている。さらに、落下放出終了後に、一時保留部３７が返却位置ｃに移動し、全ての硬貨を硬貨返却ボックス３３ａに落下放出して返却する。
【００４８】
一時保留部３７が第１の収納位置ａから返却位置ｃに移動した場合には、一時保留部３７が底板３７ａから外れることにより一時保留部３７の底面が開口され、この一時保留部３７に搬送された硬貨は下方にある硬貨返却ボックス３３ａに落下することとなる。
【００４９】
また、底板３７ａが定位置（第１の位置ｍ）にとどまったまま、一時保留部３７が第１の収納位置ａから第２の収納位置ｄに移動した場合には、一時保留部３７が底板３７ａから外れることにより一時保留部３７の底面が開口され、この一時保留部３７に搬送された硬貨は下方にある硬貨収納シュート３７ｅに落下し、最終的に硬貨収納カセット４２ｂに送られることとなる。
【００５０】
次に、貨幣処理機１０に設けられた他の様々な機構について説明する。図１に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。
【００５１】
より具体的には、操作者は、操作部４５により、紙幣処理装置２０の紙幣投入口２１や硬貨処理装置３０の硬貨投入口３１に投入された紙幣や硬貨等の貨幣に関する取引における貨幣の取引金額を入力することができるようになっている。この場合、操作部４５によって操作者により入力される貨幣の取引金額は、実際に操作者により紙幣処理装置２０の紙幣投入口２１や硬貨処理装置３０の硬貨投入口３１に投入される貨幣の金額と同じ金額となっている。また、操作者は、操作部４５により、紙幣処理装置２０の紙幣投入口２１や硬貨処理装置３０の硬貨投入口３１に投入される紙幣や硬貨等の貨幣に関する取引の取引情報を入力することができるようになっている。ここで、取引情報とは、例えば、操作者のＩＤ情報等、操作者に関する情報や操作を行った日時、店舗の情報、レジの情報等のことをいう。このように、操作部４５は、紙幣処理装置２０の紙幣投入口２１や硬貨処理装置３０の硬貨投入口３１に投入された貨幣に関する取引における貨幣の取引金額を入力するための取引金額入力手段や、当該取引の取引情報を入力するための取引情報入力手段としての機能を果たすようになっている。
【００５２】
表示部４４は、例えば液晶ディスプレイ（ＬＣＤ）から構成されている。また、貨幣処理機１０の筐体１１の上面には、貨幣処理機１０における貨幣の処理内容等を印字するプリンタ４３が設けられている。
【００５３】
また、筐体１１の前面には、操作者の操作権限の確認を行うためのカードリーダ４６が設けられている。カードリーダ４６は、操作者が携帯するＩＤカードのＩＤ情報の読み取りを行うようになっている。また、筐体１１の内部には、様々な情報を記憶する記憶部４７が設けられている。
【００５４】
次に、貨幣処理機１０における各構成要素の制御を行う制御部１５について図４を用いて説明する。制御部１５は貨幣処理機１０の筐体１１内に設置されている。
【００５５】
図４に示すように、制御部１５には、紙幣処理装置２０の各構成要素（例えば、搬送部２５、識別部２６、扉２４、一時保留部２９等）、硬貨処理装置３０の各構成要素（例えば、貯留繰出部３４、搬送部３５、識別部３５ａ、一時保留部３７の駆動機構３７ｂ、一時保留部３７の位置検知手段３７ｃ、底板３７ａの駆動機構３７ｆ、底板３７ａの位置検知手段３７ｇ等）、表示部４４、操作部４５、プリンタ４３、カードリーダ４６、記憶部４７等が接続されている。
【００５６】
制御部１５には、紙幣処理装置２０の識別部２６による紙幣の識別結果や、硬貨処理装置３０の識別部３５ａによる硬貨の識別結果、位置検知手段３７ｃによる一時保留部３７の位置情報、位置検知手段３７ｇによる底板３７ａの位置情報等が送られるようになっている。また、制御部１５には、カードリーダ４６により読み取られた操作者のＩＤカードのＩＤ情報が送られるようになっている。また、制御部１５は、紙幣処理装置２０や硬貨処理装置３０の各構成要素を制御したり、表示部４４、操作部４５、プリンタ４３を制御したりするようになっている。さらに、制御部１５は、当該制御部１５に接続されたインターフェース１６を介して、例えば回収業務を行う収集業者が設置した上位装置と通信可能となっている。また、制御部１５には記憶部４７が接続され、上述の識別結果や各種の情報等が記憶されるようになっている。
【００５７】
次に、このような構成からなる貨幣処理機１０の動作について説明する。
【００５８】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。
【００５９】
インターフェース確認モードとは、貨幣処理機１０の初期状態において、すなわち貨幣処理機１０が導入された際に、インターフェース１６により貨幣処理機１０が上位装置等に通信接続されるか否かを確認するためのモードである。このようなインターフェース確認モードにおいて、インターフェース１６により貨幣処理機１０が上位装置等に通信接続されたときには、上位装置等から貨幣処理機１０に様々な設定データが送られる。
【００６０】
運用モードには、貨幣処理機１０が上位装置等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する引渡処理等の様々な処理を行うことができる。また、この開店モードにおいては、例えば売上金の回収業務を行う収集業者の収集特定者によって、貨幣収納部４０の各カセット４１ａ、４１ｂ、４２ａ、４２ｂ自体の回収を行うこともできる。一方、閉店モードにおいては、収集特定者による貨幣収納部４０の各カセット４１ａ、４１ｂ、４２ａ、４２ｂの回収のみしか行うことができない。なお、これらの開店モードおよび閉店モードの切り換えは、時間帯等による自動での切り替えも可能である。一方、オフラインモードにおいては、上位装置等に対する情報の伝達は行われず、納金処理等の処理結果は貨幣処理機１０内に設けられた記憶媒体（図示せず）に記憶されることとなる。上述の各モードの選択は、操作者が操作部４５により選択することができる。
【００６１】
保守メンテナンスモードの際に、保守員が貨幣処理機１０の紙幣処理装置２０や硬貨処理装置３０の各構成要素の保守メンテナンスを行う。このような保守メンテナンスは、貨幣処理機１０が設置された現場で行ってもよく、貨幣処理機１０を工場等に持ち帰ってこの工場内で行ってもよい。
【００６２】
ここで、筐体１１の外部から内部に取り込まれた紙幣や硬貨等からなる貨幣を貨幣収納部４０に収納するような、貨幣の引渡処理（入金処理）の詳細について以下に説明する。本実施の形態においては、複数の取引に係る引渡処理が行われる場合について説明する。なお、「引渡処理」とは、貨幣処理機１０内の金銭を店舗から収集業者へ引き渡す処理という意味で用いており、上述のような貨幣処理機１０では、筐体１１の外部から内部に取り込まれた貨幣が貨幣収納部４０に収納されたことにより、貨幣が引き渡されたものとしている。そして、引渡処理が行われた貨幣は、その管理権限が店舗側から収集特定者側（収集業者側）に移されるようになっている。
【００６３】
まず、第１の操作者により、第１の店舗の売上金等に係る貨幣について貨幣処理機１０への入金処理（第１の取引）が行われる。より具体的には、第１の操作者は、操作部４５により、第１の店舗の売上金等に係る貨幣の取引金額を入力するとともに、取引情報（例えば、第１の操作者のＩＤ情報等、第１の操作者に関する情報や操作を行った日時、店舗の情報、レジの情報等）を入力する。これらの入力内容は記憶部４７に記憶される。そして、第１の操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。識別部２６により正常な紙幣であると識別された紙幣は、その金額が取引金額以下である場合は搬送部２５により一時保留部２９に送られる。一方、その金額が取引金額より大きい場合や識別部２６により偽札等のリジェクト紙幣であると識別された紙幣は、搬送部２５により紙幣リジェクト口２２に送られる。
【００６４】
また、第１の操作者が硬貨処理装置３０の硬貨投入口３１に硬貨を投入したときには、硬貨投入口３１に投入された硬貨はまず貯留繰出部３４に送られ、この貯留繰出部３４から硬貨が１枚ずつ搬送部３５に繰り出される。この際に、一時保留部３７は第１の収納位置ａに位置しており、底板３７ａは第１の位置ｍに位置している。搬送部３５に繰り出された硬貨は識別部３５ａにおいて識別が行われる。識別部３５ａにより正常な硬貨であると識別された硬貨は、その金額が取引金額以下である場合は、分岐部材３５ｂにより搬送部３５の搬送通路から分岐され、シュート３５ｃを介して一時保留部３７に送られる。一方、その金額が取引金額より大きい場合や識別部３５ａにより識別不能な硬貨等のリジェクト硬貨であると識別された硬貨は、搬送部３５の搬送通路から分岐させられることなく、そのまま硬貨返却ボックス３３ａに送られる。このとき、硬貨返却ボックス３３ａではなく、搬送路を設けて貯留繰出部３４に送るようにしてもよい。
【００６５】
上述のように紙幣処理装置２０や硬貨処理装置３０への紙幣や硬貨の入金処理を開始し、第１の操作者によって操作部４５により入力された貨幣の取引金額から、最初に一時保留部２９または一時保留部３７に搬送された紙幣または硬貨の金額を減算することにより、差額を算出する。そして、引き続いて識別部２６や識別部３５ａにより識別された一の紙幣や硬貨の金額がこの差額以下である場合には、この紙幣や硬貨を一時保留部２９や一時保留部３７に搬送するとともに、この差額から、この紙幣や硬貨の金額を減算することにより新たな差額を算出する。このような処理を差額が０になるまで繰り返す。すなわち、第１の操作者によって操作部４５により入力された貨幣の取引金額が例えば５０００円であり、一時保留部２９および一時保留部３７に搬送された紙幣および硬貨の合計金額が４９６０円である場合に、差額は４０円（＝５０００円−４９６０円）となる。ここで、貯留繰出部３４から１０円玉が搬送部３５に繰り出され、この１０円玉が搬送部３５により搬送され、識別部３５ａにより識別された場合には、この１０円玉は一時保留部３７に送られるとともに、差額は３０円となる。一方、識別部２６や識別部３５ａにより識別された一の紙幣や硬貨の金額がこの差額より大きい場合には、この紙幣や硬貨を紙幣リジェクト口２２や硬貨返却口３３に搬送する。すなわち、前述のように差額が４０円であるときに、貯留繰出部３４から５０円玉が搬送部３５に繰り出され、この５０円玉が搬送部３５により搬送され、識別部３５ａにより識別された場合には、この５０円玉は硬貨返却口３３に送られることとなる。このような処理を差額が０になるまで繰り返す。
【００６６】
そして、第１の操作者によって操作部４５により入力された貨幣の取引金額から、一時保留部２９および一時保留部３７に搬送された紙幣および硬貨の合計金額を減算した差額が０となったときに、制御部１５は、表示部４４において入金処理の確定を行うか否かのメッセージを表示させ、第１の操作者に対して入金処理の確定の入力を要求する。そして、第１の操作者が操作部４５の「確定キー」を押した場合には、制御部１５は、一時保留部２９および一時保留部３７に搬送された紙幣および硬貨の合計金額と、第１の操作者によって操作部４５により入力された取引情報とを関連づけて記憶部４７に記憶させる。また、差額が０となり、第１の操作者が操作部４５の「確定キー」を押したときに、一時保留部２９および一時保留部３７に搬送された紙幣および硬貨を貨幣収納部４０に搬送し、紙幣を紙幣収納カセット４１ａ、４１ｂに収納するとともに硬貨を硬貨収納カセット４２ａ、４２ｂに収納するような入金処理を行う。
【００６７】
本実施の形態においては、第１の操作者が第１の店舗の売上金等に係る貨幣について貨幣処理機１０への入金処理を行う間に、第２の操作者により第２の店舗の売上金等に係る貨幣について操作部４５により取引金額が入力されるとともにこの第２の店舗の売上金等に係る貨幣についての取引の取引情報が入力されると、第１の店舗の売上金等に係る貨幣に関連する入金処理の後に、第２の店舗の売上金等に係る貨幣に関連する入金処理（第２の取引）が自動的に行われる。
【００６８】
より具体的には、第１の店舗の売上金等に係る貨幣について貨幣処理機１０への入金処理が行われている最中に、第２の操作者が第２の店舗の売上金等に係る紙幣や硬貨を紙幣処理装置２０の紙幣投入口２１や硬貨処理装置３０の硬貨投入口３１に予め投入しておき、しかも、第２の操作者が、操作部４５により、第２の店舗の売上金等に係る貨幣の取引金額を入力するとともに、取引情報（例えば、第２の操作者のＩＤ情報等、第２の操作者に関する情報や操作を行った日時、店舗の情報、レジの情報等）を入力した場合には、以下の動作が行われる。なお、第１の操作者および第２の操作者が第１の店舗の売上金等に係る貨幣および第２の店舗の売上金等に係る貨幣を同時に貨幣処理機１０に投入してもよいし、順次、別々のタイミングで投入してもよい。
【００６９】
第１の操作者によって操作部４５により入力された貨幣の取引金額から、一時保留部２９および一時保留部３７に搬送された紙幣および硬貨の合計金額を減算した差額が０となり、第１の操作者が操作部４５の「確定キー」を押したときに、一時保留部２９および一時保留部３７に搬送された紙幣および硬貨を貨幣収納部４０に搬送するが、その後、引き続き、第２の店舗の売上金等に係る貨幣の入金処理が行われる。この場合、第２の操作者によって操作部４５により入力された貨幣の取引金額から、一時保留部２９および一時保留部３７に搬送された紙幣および硬貨の合計金額を減算することにより、差額を算出する。そして、差額が０となったときに、制御部１５は、表示部４４において入金処理の確定を行うか否かのメッセージを表示させ、第２の操作者に対して入金処理の確定の入力を要求する。そして、第２の操作者が操作部４５の「確定キー」を押した場合には、制御部１５は、一時保留部２９および一時保留部３７に搬送された紙幣および硬貨の合計金額と、第２の操作者によって操作部４５により入力された取引情報とを関連づけて記憶部４７に記憶させる。また、差額が０となり、第２の操作者が操作部４５の「確定キー」を押したときに、一時保留部２９および一時保留部３７に搬送された紙幣および硬貨を貨幣収納部４０に搬送し、紙幣を紙幣収納カセット４１ａ、４１ｂに収納するとともに硬貨を硬貨収納カセット４２ａ、４２ｂに収納するような入金処理を行う。
【００７０】
取引金額の入力において、紙幣と硬貨について別個に入力してもよく、あるいは紙幣と硬貨の合計の取引金額を入力してもよい。また、紙幣または硬貨のいずれか一方のみについて取引金額を入力して、紙幣処理装置２０または硬貨処理装置３０のいずれか一方のみに上述の入金処理を行わせてもよい。また、取引金額の代わりに投入した金種毎の枚数を入力してもよい。
【００７１】
また、紙幣処理装置２０と硬貨処理装置３０で同時に入金処理を行ってもよく、または、紙幣処理装置２０による入金処理の終了後に硬貨処理装置３０による入金処理を行ってもよい。あるいは、硬貨処理装置３０による入金処理の終了後に紙幣処理装置２０による入金処理を行ってもよい。
【００７２】
紙幣と硬貨の合計の取引金額が入力された場合には、差額が所定の金額になったときに紙幣処理装置２０または硬貨処理装置３０のうちいずれか一方の装置による入金処理を停止して、他方の装置による入金処理によって差額を０とする。例えば、差額が紙幣の最低額金種より小さくなったときに紙幣処理装置２０による入金処理を停止して、硬貨処理装置３０による入金処理を続ける。または、差額が紙幣の最低額金種の金額の倍数と一致するときに硬貨処理装置３０による入金処理を停止して、紙幣処理装置２０による入金処理を続ける。
【００７３】
また、投入された紙幣や硬貨を全て処理しても差額が０にならないとき、または、差額以上の金額の貨幣が所定枚数以上連続して搬送されてきたときは、差額を表示して処理を停止する。このとき、「確定キー」を押すと一時保留部２９、３７にある貨幣は収納され、「取消キー」を押すと返却される。
【００７４】
以上のように本実施の形態の貨幣処理機１０によれば、紙幣や硬貨等の貨幣の入金処理を行う際に、操作者によって操作部４５（取引金額入力手段）により入力された貨幣の取引金額から、一時保留部２９および一時保留部３７に搬送された紙幣および硬貨の合計金額を減算することにより差額を算出する。そして、識別部２６、３５ａにより識別された一の紙幣や硬貨の金額が前述の差額以下である場合にはこの紙幣や硬貨を一時保留部２９や一時保留部３７に搬送し、識別部２６、３５ａにより識別された一の紙幣や硬貨の金額が前述の差額より大きい場合にはこの貨幣を紙幣リジェクト口２２や硬貨返却口３３に搬送する。そして、差額が０となったときに、制御部１５は、一時保留部２９および一時保留部３７に搬送された貨幣の金額と、操作部４５（取引情報入力手段）により入力された取引情報とを関連づけて記憶部４７に記憶させる。また、この際に、一時保留部２９および一時保留部３７に搬送された紙幣や硬貨を貨幣収納部４０に搬送して紙幣収納カセット４１ａ、４１ｂや硬貨収納カセット４２ａ、４２ｂに収納する。このことにより、一の取引において、操作部４５（取引金額入力手段）に入力された取引金額分の貨幣を貨幣収納部４０に収納させることができるとともに、貨幣収納部４０に収納される前に一時保留部２９および一時保留部３７に搬送された紙幣および硬貨の合計金額と、操作部４５（取引情報入力手段）により入力された取引情報とを関連づけて記憶させることができる。
【００７５】
また、第１の取引（例えば、第１の店舗の売上金等の貨幣に関する取引）に関連する入金処理を行う間に、第２の操作者により、第２の取引における貨幣（例えば、第２の店舗の売上金等の貨幣）の取引金額が操作部４５（取引金額入力手段）により入力されるとともに第２の取引の取引情報が操作部４５（取引情報入力手段）により入力されると、第１の取引に関連する入金処理の後に、第２の取引に関連する入金処理を自動的に行うようになっている。このため、第１の操作者および第２の操作者は、各取引における入金処理に関する貨幣を同時に投入することができる。あるいは、第１の操作者が第１の店舗の売上金等の貨幣を貨幣処理機１０に投入した後に、第２の操作者が第２の店舗の売上金等の貨幣を貨幣処理機１０に投入するようにしてもよい。
【００７６】
また、第１の店舗の売上金等の貨幣について入金処理を行う間に、次の入金処理（第２の店舗の売上金等の貨幣の入金処理）に関する操作を操作部４５で行うとともに貨幣を予め貨幣処理機１０に投入しておけば、先の入金処理の終了後に自動的に次の入金処理が始まる。このことにより、第２の取引を行う第２の操作者は第１の取引に係る先の入金処理の終了を待たずに貨幣処理機１０から離れることができる。したがって、第２の取引を行う第２の操作者は、先の入金処理が行われる間、待ち時間を有効に使うことができる。
【００７７】
また、制御部１５は、表示部４４における表示等により、貨幣の入金処理を行う間に差額が０となったときに操作者に対して確定の入力を要求し、例えば操作部４５の「確定キー」を押すことにより確定の入力が行われた後に、一時保留部２９および一時保留部３７に搬送された紙幣および硬貨の合計金額と、取引情報とを関連づけて記憶部４７に記憶させるとともに、一時保留部２９および一時保留部３７に搬送された紙幣および硬貨を貨幣収納部４０に搬送するようになっている。このことにより、操作者は、入金処理の結果を都度確認することができる。
【００７８】
なお、本実施の形態による貨幣処理機１０は、上記の態様に限定されるものではなく、様々の変更を加えることができる。例えば、紙幣投入口２１や硬貨投入口３１に投入された紙幣や硬貨に関する取引における貨幣の取引金額を入力するための取引金額入力手段や、紙幣投入口２１や硬貨投入口３１に投入された紙幣や硬貨に関する取引の取引情報を入力するための取引情報入力手段としては、上述のような操作部４５に限定されることはない。具体的には、例えば、カードリーダ４６により操作者のＩＤカードのＩＤ情報を読み取らせ、この操作者のＩＤ情報を、取引に係る情報としてもよい。また、上位装置からインターフェース１６を介して、制御部１５に対して貨幣の取引金額や取引情報が入力されるようになっていてもよい。
【００７９】
次に、本実施の形態に係る貨幣処理機の他の態様について図６を用いて説明する。図６は、本実施の形態における他の貨幣処理機を示す斜視図である。
【００８０】
図６に示す貨幣処理機１０ａは、図１に示す貨幣処理機１０の横に、追加の紙幣処理装置６０および追加の硬貨処理装置７０が設けられたものである。
【００８１】
図６に示す貨幣処理機１０ａにおいて、追加の紙幣処理装置６０の構成は図２に示す紙幣処理装置２０の構成と略同一となっている。また、追加の硬貨処理装置７０の構成は図３に示す硬貨処理装置３０の構成と略同一となっている。図６において、追加の紙幣処理装置６０における参照符号６１は紙幣投入口を示し、参照符号６２は紙幣リジェクト口を示し、参照符号６３は紙幣返却口を示し、参照符号６４は扉を示し、参照符号６８は紙幣投入口カバーを示している。ここで、追加の紙幣処理装置６０の紙幣投入口６１、紙幣リジェクト口６２、紙幣返却口６３、扉６４および紙幣投入口カバー６８は、それぞれ、紙幣処理装置２０の紙幣投入口２１、紙幣リジェクト口２２、紙幣返却口２３、扉２４および紙幣投入口カバー２８と略同一の構成となっている。
【００８２】
また、図６において、追加の硬貨処理装置７０における参照符号７１は硬貨投入口を示し、参照符号７１ａは硬貨投入口カバーを示し、参照符号７３は硬貨返却口を示し、参照符号７３ａは硬貨返却ボックスを示している。ここで、追加の硬貨処理装置７０の硬貨投入口７１、硬貨投入口カバー７１ａ、硬貨返却口７３、硬貨返却ボックス７３ａは、それぞれ、硬貨処理装置３０の硬貨投入口３１、硬貨投入口カバー３１ａ、硬貨返却口３３、硬貨返却ボックス３３ａと略同一の構成となっている。
【００８３】
また、追加の紙幣処理装置６０や追加の硬貨処理装置７０の下方にも、硬貨および紙幣をそれぞれ収納する貨幣収納部４０が設けられている。
【００８４】
なお、追加の紙幣処理装置６０や追加の硬貨処理装置７０には、表示部４４、操作部４５、プリンタ４３およびカードリーダ４６は設けられていない。また、貨幣処理機１０ａに設けられた制御部１５は、紙幣処理装置２０や硬貨処理装置３０の各構成要素のみならず、追加の紙幣処理装置６０や追加の硬貨処理装置７０の各構成要素の制御も行うようになっている。
【００８５】
次に、図６に示すような構成からなる貨幣処理機１０ａの動作について説明する。
【００８６】
図６に示すような貨幣処理機１０ａにおいては、紙幣処理装置２０および硬貨処理装置３０をまとめて第１の貨幣処理ユニットとみなしている。また、追加の紙幣処理装置６０および追加の硬貨処理装置７０をまとめて第２の貨幣処理ユニットとみなしている。そして、第１の操作者が第１の店舗の売上金等の貨幣を貨幣処理機１０ａに入金処理している最中に、第２の操作者が第２の店舗の売上金等の貨幣を貨幣処理機１０ａに入金処理しようとする場合、第１の店舗の売上金等の貨幣を第１の貨幣処理ユニットに入金し、第２の店舗の売上金等の貨幣を第２の貨幣処理ユニットに入金する。
【００８７】
より詳細に述べると、制御部１５は、紙幣処理装置２０、硬貨処理装置３０、追加の紙幣処理装置６０、追加の硬貨処理装置７０のうち、貨幣が投入された装置（例えば、紙幣処理装置２０）における筐体１１内へ投入された貨幣の金額を当該装置に設けられた識別部（例えば、識別部２６）により計数し、この計数された貨幣の金額と、操作者によって操作部４５等により入力された取引情報（例えば、操作者のＩＤ情報等、操作者に関する情報や操作を行った日時、店舗の情報、レジの情報等）とを関連づけて記憶部４７に記憶させる。また、この際に、貨幣が投入された装置における一時保留部（例えば、一時保留部２９）に搬送された貨幣を貨幣収納部４０に送り、この貨幣収納部４０で収納させる。
【００８８】
また、図６に示すような貨幣処理機１０ａにおいて、第１の取引（例えば、第１の店舗の売上金等の貨幣）に関連する入金処理を第１の操作者が第１の貨幣処理ユニット（すなわち、紙幣処理装置２０および硬貨処理装置３０）で行う間に、第２の操作者により、例えば、第２の店舗の売上金等の貨幣が予め第２の貨幣処理ユニット（すなわち、追加の紙幣処理装置６０および追加の硬貨処理装置７０）に投入されるとともに、第２の取引（例えば、第２の店舗の売上金等の貨幣）の取引情報が操作部４５（取引情報入力手段）により入力されると、貨幣の入金処理を追加の紙幣処理装置６０や追加の硬貨処理装置７０で自動的に行うようになっている。
【００８９】
このため、複数の入金処理に関する貨幣を、取引毎に複数の処理装置２０、３０、６０、７０の各々に同時にまたは順次投入することができ、第１の店舗の売上金等の貨幣について第１の貨幣処理ユニット（紙幣処理装置２０や硬貨処理装置３０）で入金処理を行う間に、次の入金処理（第２の店舗の売上金等の貨幣の入金処理）に関する操作を操作部４５で行うとともに貨幣を予め第２の貨幣処理ユニット（追加の紙幣処理装置６０や追加の硬貨処理装置７０）に投入しておけば、紙幣処理装置２０や硬貨処理装置３０における先の入金処理が行われている最中でも、自動的に次の入金処理が追加の紙幣処理装置６０や硬貨処理装置７０で始まる。このことにより、第２の取引を行う第２の操作者は第１の取引に係る先の入金処理の終了を待たずに貨幣処理機１０から離れることができる。したがって、第２の取引を行う第２の操作者は、先の入金処理が行われる間、待ち時間を有効に使うことができる。
【００９０】
なお、図６に示すような、硬貨処理装置が２つ設けられた貨幣処理機においては、次のような運用を行ってもよい。
【００９１】
図６に示す貨幣処理機１０ａにおいて、以下の２つの運用方法が設定されている。第１の運用方法においては、硬貨処理装置３０および追加の硬貨処理装置７０を同時に使用する。この第１の運用方法は、１取引あたりの硬貨の取引量が、各々の硬貨処理装置３０、７０の硬貨投入口３１、７１の投入口容量（例えば、４００枚）を超える場合が多く、かつ、１取引あたりの硬貨の取引量が、貨幣収納部４０の硬貨収納カセット４２ａ、４２ｂの容量（例えば、４５００枚）よりも少ない場合に用いられる。このような運用方法によれば、硬貨処理装置３０および追加の硬貨処理装置７０を同時に使用することにより、一度に２つの硬貨処理装置３０、７０の硬貨投入口３１、７１の合計の投入口容量（例えば、８００枚）の硬貨の処理を行うことができ、硬貨の処理時間を短縮することができる。
【００９２】
また、第２の運用方法においては、まず硬貨処理装置３０を使用し、硬貨処理装置３０に対応する硬貨収納カセット４２ａ、４２ｂがそれぞれフルになった場合に追加の硬貨処理装置７０を使用する。この第２の運用方法は、１取引あたりの硬貨の取引量が、各々の硬貨処理装置３０、７０の硬貨投入口３１、７１の投入口容量（例えば、４００枚）よりも小さい場合が多く、かつ、各々の硬貨処理装置３０、７０に対応する貨幣収納部４０の硬貨収納カセット４２ａ、４２ｂがフルになりやすい場合に用いられる。このような運用方法によれば、硬貨処理装置３０および追加の硬貨処理装置７０を同時に使用することがないため、硬貨の取引量が各々の硬貨収納カセット４２ａ、４２ｂの容量よりも小さい場合には、回収される硬貨収納カセットの数を少なくすることができる。
【００９３】
上述のような第１の運用方法および第２の運用方法のうちどちらの運用方法を行うかは、貨幣処理機１０の設置時に予め設定される。あるいは、操作者が操作部４５により第１の運用方法および第２の運用方法のうちどちらの運用方法を行うかを都度選択することができるようになっていてもよい。あるいは、通常は第１の運用方法および第２の運用方法のうちいずれか一方の運用方法が行われ、操作者は操作部４５により他の運用方法に切り換えることができるようになっていてもよい。
【００９４】
また、図７および図８に示すように、硬貨処理装置が２つ設けられた貨幣処理機１０ａにおいて、これらの２つの硬貨処理装置３０、７０の上に硬貨振り分けユニット８０が設けられていてもよい。図７は、硬貨処理装置３０、７０の上に硬貨振り分けユニット８０が設けられたときの状態を示す貨幣処理機１０ａの斜視図であり、図８は、硬貨振り分けユニット８０の縦断面図である。
【００９５】
図７に示すように、硬貨振り分けユニット８０は略直方体形状の箱体から構成されており、当該箱体の上面は開口している。硬貨振り分けユニット８０には例えば１０００枚以上の硬貨を投入することができるようになっている。また、硬貨処理装置３０や追加の硬貨処理装置７０には、硬貨投入口カバー３１ａ、７１ａが設けられておらず、硬貨投入口３１、７１の上に直接的に硬貨振り分けユニット８０が位置している。
【００９６】
図８に示すように、硬貨振り分けユニット８０の内部には、搬送ベルト８２が設けられている。この搬送ベルト８２は、外部から硬貨振り分けユニット８０の受入部分８０ａに受け入れられた硬貨を、硬貨処理装置３０の硬貨投入口３１または追加の硬貨処理装置７０の硬貨投入口７１のいずれか一方に送るようになっている。図８の矢印に示すように、搬送ベルト８２は正逆両方向に循環移動するようになっている。
【００９７】
また、図８に示すように、搬送ベルト８２の上方には、仕切部材８４、８６がそれぞれ設けられている。各仕切部材８４、８６は、通常は図８の実線に示すような位置にあり、硬貨振り分けユニット８０の外部から搬送ベルト８２上の受入部分８０ａに投入された硬貨は、これらの仕切部材８４、８６により硬貨投入口３１や硬貨投入口７１に入らないようになっている。一方、硬貨振り分けユニット８０から硬貨処理装置３０の硬貨投入口３１に硬貨を投入する場合は、仕切部材８６が図８の点線の位置に移動するとともに、搬送ベルト８２が時計回りに循環移動し、搬送ベルト８２上の受入部分８０ａにある硬貨は右方向に搬送させられて最終的に硬貨投入口３１に投入される。また、硬貨振り分けユニット８０から追加の硬貨処理装置７０の硬貨投入口７１に硬貨を投入する場合は、仕切部材８４が図８の点線の位置に移動するとともに、搬送ベルト８２が反時計回りに循環移動し、搬送ベルト８２上の受入部分８０ａにある硬貨は左方向に搬送させられて最終的に硬貨投入口７１に投入される。上述のような搬送ベルト８２、各仕切部材８４、８６の動作は、制御部１５により制御されるようになっている。
【００９８】
以上のように、２つの硬貨処理装置３０、７０の上に硬貨振り分けユニット８０を設けた場合には、１つの硬貨振り分けユニット８０に投入された硬貨を、２つの硬貨処理装置３０、７０のうちいずれか一方に振り分けることができる。このため、２つの硬貨処理装置３０、７０の各々の硬貨投入口３１、７１に操作者がそれぞれ硬貨を投入する場合と比較して、硬貨の入金作業にかかる時間を短くすることができる。また、硬貨振り分けユニット８０の受入部分８０ａの容量を大きくすることにより（例えば１０００枚以上とすることにより）、大量の硬貨を一括して処理することができる。また、硬貨振り分けユニット８０により硬貨処理装置３０、７０への硬貨の振り分けが自動的に行われるので、硬貨投入のタイミングを操作者が判断しなくともよい。また、操作者が直接的に各硬貨投入口３１、７１に硬貨を投入することがなくなるため、各硬貨投入口３１、７１に大量に硬貨が投入されることを防止することができる。
【００９９】
また、図１に示す貨幣処理機１０や図６に示す貨幣処理機１０ａの更に他の態様について以下に説明する。
【０１００】
まず、比較例として、従来の貨幣処理機について以下に説明する。例えば、多数のレジが設けられたショッピングセンター等の店舗では、１台または複数台の、特開２００１−６７５２６号公報に開示されるような貨幣処理機が設置されており、店舗の閉店後にレジにて余剰となった売上金に係る貨幣を貨幣処理機に入金する作業が行われている。この際に、貨幣処理機には、紙幣や硬貨等の貨幣の収納を行う貨幣収納部が設けられており、この貨幣収納部の管理権限は、収集業者の収集特定者側にある。そして、貨幣が貨幣収納部に収納されると、収集特定者に貨幣が引き渡されるようになっている。収集特定者は、この貨幣収納部に引き渡された貨幣を適宜回収するようになっている。また、上述のような貨幣の引渡処理に伴って、収集特定者側に引き渡された貨幣の金額が、店舗側の所定の銀行口座に入金される等の処理が行われる。
【０１０１】
一方で、店舗の各レジでは、翌日の営業日に備え、釣銭を準備しておく必要がある。この釣銭となる紙幣や硬貨は、収集業者に注文することにより店舗まで配達されるようになっている。配達された釣銭は、両替機等に装填され、レジ内の貨幣と両替を行うことにより、各レジで釣銭が準備されることとなる。
【０１０２】
しかしながら、前述のように、店舗の閉店後にレジにて余剰となった売上金は全額収集特定者により回収されるとともに、釣銭用の貨幣が収集業者から配達されるため、必要な釣銭額が大きくなり、この釣銭用の貨幣の配達に要する手数料も大きくなるという問題がある。また、貨幣処理機の貨幣収納部が満杯になるのを防ぐために、収集特定者による売上金の貨幣の回収作業を頻繁に行わなければならないという問題がある。
【０１０３】
このときに、貨幣収納部に収納された貨幣の一部を釣銭として使用することができれば、店舗側としては、配達される釣銭用の貨幣の数量を減らすことができ、釣銭用の貨幣の配達に要する手数料を減らすことができる。また、収集業者側としても、貨幣収納部に収納された貨幣の一部が釣銭として使用されるため、貨幣収納部が満杯になるまでに要する期間が延び、貨幣の回収の頻度を減らすことができる。
【０１０４】
このように、貨幣収納部に収納された貨幣の一部を釣銭として使用することができるようにするために、本実施の形態においては、図１に示す貨幣処理機１０や図６に示す貨幣処理機１０ａにおいて、これらの貨幣処理機に入金される貨幣を、店舗で釣銭として使用する店舗側の貨幣と、収集特定者側の貨幣とに区別して貨幣収納部４０に収納することができるようにする。
【０１０５】
より具体的には、図１に示す貨幣処理機１０において、貨幣収納部４０の２つの紙幣収納カセット４１ａ、４１ｂのうち、一方の紙幣収納カセット４１ａを収集特定者側の管理権限下のものとし、他方の紙幣収納カセット４１ｂを店舗側の管理権限下のものとする。同様に、貨幣収納部４０の２つの硬貨収納カセット４２ａ、４２ｂのうち、一方の硬貨収納カセット４２ａを収集特定者側の管理権限下のものとし、他方の硬貨収納カセット４２ｂを店舗側の管理権限下のものとする。
【０１０６】
より詳細には、店舗側の操作者と、収集特定者との両者が、図５に示すように貨幣収納部４０の本体部分４０ａを筐体１１から手前側に引き出すことができるようにする。そして、収集特定者は、紙幣収納カセット４１ａおよび硬貨収納カセット４２ａの近傍にそれぞれ設けられた鍵穴４１ｅ、４２ｅに対応する鍵を有し、店舗側の操作者は、紙幣収納カセット４１ｂおよび硬貨収納カセット４２ｂの近傍にそれぞれ設けられた鍵穴４１ｆ、４２ｆに対応する鍵を有するようにする。このことにより、収集特定者は、筐体１１から紙幣収納カセット４１ａおよび硬貨収納カセット４２ａを取り出すことができるようになり、一方、店舗側の操作者は、筐体１１から紙幣収納カセット４１ｂおよび硬貨収納カセット４２ｂを取り出すことができるようになる。各収納カセット４１ａ、４２ａは、少なくとも筐体１１から引き出されたとき、中の貨幣が取り出し不可能な状態に入口等がロックされている。
【０１０７】
次に、上述のような貨幣収納部４０の管理権限が２つに分けられた貨幣処理機１０において、当該貨幣処理機１０に入金される貨幣を、店舗で釣銭として使用する店舗側の貨幣と、収集特定者側の貨幣とに区別して貨幣収納部４０に収納する動作について以下に説明する。
【０１０８】
最初に、紙幣処理装置２０に投入される紙幣を、収集特定者側の紙幣として貨幣収納部４０に収納するような紙幣の第１の引渡処理（入金処理）について以下に説明する。紙幣の第１の引渡処理が行われる際に、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。識別部２６により正常な紙幣であると識別された場合には、この紙幣は搬送部２５により一時保留部２９に送られる。一方、識別部２６により偽札等のリジェクト紙幣であると識別された紙幣は、搬送部２５により紙幣リジェクト口２２に送られる。
【０１０９】
上述のような紙幣の処理が行われた後、操作者が操作部４５における「確定キー」を押し、引渡確定処理の指令を制御部１５に送ったときには、一時保留部２９に保留された紙幣は、貨幣収納部４０の紙幣収納カセット４１ａに送られる。
【０１１０】
次に、紙幣処理装置２０に投入される紙幣を、店舗で釣銭として使用する店舗側の紙幣として貨幣収納部４０に収納するような紙幣の第２の引渡処理（入金処理）について以下に説明する。紙幣の第２の引渡処理が行われる際に、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。識別部２６により正常な紙幣であると識別された場合には、この紙幣は搬送部２５により一時保留部２９に送られる。一方、識別部２６により偽札等のリジェクト紙幣であると識別された紙幣は、搬送部２５により紙幣リジェクト口２２に送られる。
【０１１１】
上述のような紙幣の処理が行われた後、操作者が操作部４５における「確定キー」を押し、引渡確定処理の指令を制御部１５に送ったときには、一時保留部２９は紙幣収納カセット４１ｂの上方の位置に移動し、この一時保留部２９に保留された紙幣は、貨幣収納部４０の紙幣収納カセット４１ｂに送られる。
【０１１２】
次に、硬貨処理装置３０に投入される硬貨を、収集特定者側の硬貨として貨幣収納部４０に収納するような硬貨の第１の引渡処理（入金処理）について以下に説明する。硬貨の第１の引渡処理が行われる際に、操作者が硬貨処理装置３０の硬貨投入口３１に硬貨を投入したときには、硬貨投入口３１に投入された硬貨はまず貯留繰出部３４に送られ、この貯留繰出部３４から硬貨が１枚ずつ搬送部３５に繰り出される。この際に、一時保留部３７は第１の収納位置ａに位置しており、底板３７ａは第１の位置ｍに位置している。搬送部３５に繰り出された硬貨は識別部３５ａにおいて識別が行われる。識別部３５ａにより正常な硬貨であると識別された場合は、この硬貨は分岐部材３５ｂにより搬送部３５の搬送通路から分岐され、シュート３５ｃを介して一時保留部３７に送られる。一方、識別部３５ａにより識別不能な硬貨等のリジェクト硬貨であると識別された硬貨は、搬送部３５の搬送通路から分岐させられることなく、そのまま硬貨返却口３３に送られる。
【０１１３】
上述のような硬貨の処理が行われた後、操作者が操作部４５における「確定キー」を押し、引渡確定処理の指令を制御部１５に送ったときには、駆動機構３７ｆによって底板３７ａが第１の位置ｍから第２の位置ｎに移動させられることにより、一時保留部３７の底部が開口状態となるので、一時保留部３７に搬送された硬貨が貨幣収納部４０の硬貨収納カセット４２ａに落下し、この硬貨収納カセット４２ａ内に収納される。
【０１１４】
次に、硬貨処理装置３０に投入される硬貨を、店舗で釣銭として使用する店舗側の硬貨として貨幣収納部４０に収納するような硬貨の第２の引渡処理（入金処理）について以下に説明する。硬貨の第２の引渡処理が行われる際に、操作者が硬貨処理装置３０の硬貨投入口３１に硬貨を投入したときには、硬貨投入口３１に投入された硬貨はまず貯留繰出部３４に送られ、この貯留繰出部３４から硬貨が１枚ずつ搬送部３５に繰り出される。この際に、一時保留部３７は第１の収納位置ａに位置しており、底板３７ａは第１の位置ｍに位置している。搬送部３５に繰り出された硬貨は識別部３５ａにおいて識別が行われる。識別部３５ａにより正常な硬貨であると識別された場合は、この硬貨は分岐部材３５ｂにより搬送部３５の搬送通路から分岐され、シュート３５ｃを介して一時保留部３７に送られる。一方、識別部３５ａにより識別不能な硬貨等のリジェクト硬貨であると識別された硬貨は、搬送部３５の搬送通路から分岐させられることなく、そのまま硬貨返却口３３に送られる。
【０１１５】
上述のような硬貨の処理が行われた後、操作者が操作部４５における「確定キー」を押し、引渡確定処理の指令を制御部１５に送ったときには、駆動機構３７ｂによって一時保留部３７が第１の収納位置ａから第２の収納位置ｄに移動させられることにより、一時保留部３７の底部が開口状態となるので、一時保留部３７に搬送された硬貨が貨幣収納部４０の硬貨収納カセット４２ｂに落下し、この硬貨収納カセット４２ｂ内に収納される。
【０１１６】
また、制御部１５において、貨幣収納部４０の紙幣収納カセット４１ｂや硬貨収納カセット４２ｂに収納されるべき、店舗で釣銭として使用する店舗側の紙幣や硬貨の金種毎の枚数が予め設定されており、記憶部４７には、この紙幣や硬貨の金種毎の枚数を記憶するようになっている。
【０１１７】
上述のように、貨幣収納部４０の管理権限が２つに分けられた貨幣処理機１０において、貨幣収納部４０における紙幣収納カセット４１ａおよび硬貨収納カセット４２ａが第１の管理権限下（収集特定者側の管理権限下）にあり、貨幣収納部４０における紙幣収納カセット４１ｂおよび硬貨収納カセット４２ｂが第２の管理権限下（店舗側の管理権限下）にある。ここで、制御部１５は、識別部２６、３５ａによる識別結果に基づいて、一時保留部２９および一時保留部３７に搬送した紙幣や硬貨の金種毎の枚数を計数するようになっている。そして、識別部２６、３５ａにより識別された一の紙幣や硬貨について、当該一の紙幣や硬貨の金種に関して一時保留部２９や一時保留部３７に一時的に保留された紙幣や硬貨の枚数と、紙幣収納カセット４１ｂや硬貨収納カセット４２ｂに収納された紙幣や硬貨の枚数とを合計した紙幣や硬貨の合計枚数が記憶部４７に記憶された設定枚数に満たない場合には、この一の紙幣や硬貨を一時保留部２９や一時保留部３７に搬送する。一方、識別部２６、３５ａにより識別された一の紙幣や硬貨について、当該一の紙幣や硬貨の金種に関して一時保留部２９や一時保留部３７に一時的に保留された紙幣や硬貨の枚数と、紙幣収納カセット４１ｂや硬貨収納カセット４２ｂに収納された紙幣や硬貨の枚数とを合計した紙幣や硬貨の合計枚数が記憶部４７に記憶された設定枚数以上である場合には、この貨幣を紙幣リジェクト口２２や硬貨返却口３３に搬送する。
【０１１８】
そして、投入された全ての紙幣や硬貨の搬送の終了後、または、一時保留部２９および一時保留部３７に搬送した紙幣や硬貨の金種毎の枚数と、紙幣収納カセット４１ｂや硬貨収納カセット４２ｂに収納された紙幣や硬貨の枚数とを合計した紙幣や硬貨の合計枚数が、記憶部４７に記憶された紙幣や硬貨の金種毎の枚数と同一となったときに、制御部１５は、一時保留部２９および一時保留部３７に一時的に保留された貨幣を貨幣収納部４０に搬送して紙幣収納カセット４１ｂおよび硬貨収納カセット４２ｂに収納する。このことにより、予め設定された金種毎の枚数になるまで紙幣や硬貨が紙幣収納カセット４１ｂおよび硬貨収納カセット４２ｂに収納されるので、これらの紙幣収納カセット４１ｂおよび硬貨収納カセット４２ｂに収納された紙幣や硬貨を店舗側の操作者が店舗の釣銭として使用することができるようになる。
【０１１９】
一方、操作者は、紙幣処理装置２０や硬貨処理装置３０に投入される紙幣や硬貨を収集特定者側に引き渡ししたい場合には、操作部４５により、紙幣処理装置２０や硬貨処理装置３０が上述のような紙幣や硬貨の第１の引渡処理を行うようにする。このことにより、紙幣処理装置２０や硬貨処理装置３０に投入された紙幣や硬貨は、貨幣収納部４０における紙幣収納カセット４１ａや硬貨収納カセット４２ａに収納されることとなる。ここで、貨幣収納部４０における紙幣収納カセット４１ａや硬貨収納カセット４２ａは、前述のように収集特定者側に管理権限があるので、この紙幣や硬貨は収集特定者側に引き渡されることとなる。
【０１２０】
なお、貨幣収納部４０の管理権限が２つに分けられた貨幣処理機１０の動作は、上述のものに限定されることはない。他の動作方法としては、操作者が操作部４５により、上述の第１の引渡処理（入金処理）および第２の引渡処理（入金処理）のどちらを行うかを都度選択することができるようになっていてもよい。
【０１２１】
また、図６に示す貨幣処理機１０ａにおいて、この貨幣処理機１０ａに入金される貨幣を、店舗で釣銭として使用する店舗側の貨幣と、収集特定者側の貨幣とに区別して貨幣収納部４０に収納することができるようにし、貨幣収納部４０に収納された貨幣の一部を釣銭として使用することができるようにしてもよい。このような態様について以下に説明する。
【０１２２】
具体的には、図６に示す貨幣処理機１０ａにおいて、紙幣処理装置２０および硬貨処理装置３０からなる第１の貨幣処理ユニットを、収集特定者側の管理権限下のものとし、追加の紙幣処理装置６０および追加の硬貨処理装置７０からなる第２の貨幣処理ユニットを、店舗側の管理権限下のものとする。そして、貨幣収納部４０において、紙幣処理装置２０および硬貨処理装置３０にそれぞれ対応する紙幣収納カセット４１ａ、４１ｂおよび硬貨収納カセット４２ａ、４２ｂを収集特定者側の管理権限下のものとし、追加の紙幣処理装置６０および追加の硬貨処理装置７０にそれぞれ対応する紙幣収納カセット（図示せず）および硬貨収納カセット（図示せず）を店舗側の管理権限下のものとする。
【０１２３】
また、制御部１５において、貨幣収納部４０に収納されるべき、店舗で釣銭として使用する店舗側の紙幣や硬貨の金種毎の枚数が予め設定されており、記憶部４７には、この紙幣や硬貨の金種毎の枚数を記憶するようになっている。
【０１２４】
上述のような、第１の貨幣処理ユニットが収集特定者側の管理権限下にあり、第２の貨幣処理ユニットが店舗側の管理権限下にある貨幣処理機１０ａによれば、追加の紙幣処理装置６０および追加の硬貨処理装置７０において、制御部１５は、これらの追加の紙幣処理装置６０および追加の硬貨処理装置７０に設けられた識別部による識別結果に基づいて、追加の紙幣処理装置６０や追加の硬貨処理装置７０の一時保留部に搬送した紙幣や硬貨の金種毎の枚数を計数するようになっている。そして、識別部により識別された一の紙幣や硬貨について、当該一の紙幣や硬貨の金種に関して一時保留部に一時的に保留された紙幣や硬貨の枚数と、紙幣収納カセットや硬貨収納カセットに収納された紙幣や硬貨の枚数とを合計した紙幣や硬貨の合計枚数が記憶部４７に記憶された設定枚数に満たない場合には、この一の紙幣や硬貨を一時保留部に搬送する。一方、追加の紙幣処理装置６０や追加の硬貨処理装置７０において、識別部により識別された一の紙幣や硬貨について、当該一の紙幣や硬貨の金種に関して一時保留部に一時的に保留された紙幣や硬貨の枚数と、紙幣収納カセットや硬貨収納カセットに収納された紙幣や硬貨の枚数とを合計した紙幣や硬貨の合計枚数が記憶部４７に記憶された設定枚数以上である場合には、この貨幣を追加の紙幣処理装置６０の紙幣リジェクト口や追加の硬貨処理装置７０の硬貨リジェクト部に搬送する。
【０１２５】
そして、投入された全ての紙幣や硬貨の搬送の終了後、または、追加の紙幣処理装置６０や追加の硬貨処理装置７０の一時保留部に搬送した紙幣や硬貨の金種毎の枚数と、紙幣収納カセットや硬貨収納カセットに収納された紙幣や硬貨の枚数とを合計した紙幣や硬貨の合計枚数が、記憶部４７に記憶された紙幣や硬貨の金種毎の枚数と同一となったときに、制御部１５は、この一時保留部に一時的に保留された貨幣を貨幣収納部４０に搬送して、追加の紙幣処理装置６０や追加の硬貨処理装置７０に対応する紙幣収納カセットおよび硬貨収納カセットに収納する。このことにより、予め設定された金種毎の枚数になるまで紙幣や硬貨が紙幣収納カセットおよび硬貨収納カセットに収納されるので、これらの紙幣収納カセットおよび硬貨収納カセットに収納された紙幣や硬貨を店舗側の操作者が店舗の釣銭として使用することができるようになる。
【０１２６】
一方、操作者は、収集特定者側に引き渡ししようとする紙幣や硬貨については、これらの紙幣や硬貨を紙幣処理装置２０や硬貨処理装置３０に投入する。このことにより、紙幣処理装置２０や硬貨処理装置３０に投入された紙幣や硬貨は、貨幣収納部４０における、紙幣処理装置２０や硬貨処理装置３０に対応する紙幣収納カセット４１ａ、４１ｂや硬貨収納カセット４２ａ、４２ｂに収納されることとなる。ここで、紙幣処理装置２０や硬貨処理装置３０に対応する紙幣収納カセット４１ａ、４１ｂや硬貨収納カセット４２ａ、４２ｂは、前述のように収集特定者側に管理権限があるので、この紙幣や硬貨は収集特定者側に引き渡されることとなる。
【０１２７】
また、制御部１５は、追加の紙幣処理装置６０および追加の硬貨処理装置７０において、一時保留部に一時的に保留された紙幣や硬貨の各金種における枚数と、紙幣収納カセットや硬貨収納カセットに収納された紙幣や硬貨の枚数とを合計した紙幣や硬貨の合計枚数が、記憶部４７に記憶された紙幣や硬貨の各金種における設定枚数に満たない場合には、この設定枚数に満たない金種の紙幣や硬貨について、紙幣処理装置２０や硬貨処理装置３０を制御することにより、紙幣処理装置２０の紙幣リジェクト口２２や硬貨処理装置３０の硬貨返却口３３に紙幣や硬貨を不足枚数分だけ送るようになっていてもよい。この場合、追加の紙幣処理装置６０および追加の硬貨処理装置７０において釣銭用の貨幣として不足する紙幣や硬貨を、紙幣処理装置２０の紙幣リジェクト口２２や硬貨処理装置３０の硬貨返却口３３により操作者に返却することができる。このため、店舗側で必要とする紙幣や硬貨、すなわち追加の紙幣処理装置６０および追加の硬貨処理装置７０の一時保留部に一時的に保留された枚数では不足するような紙幣や硬貨が、紙幣処理装置２０や硬貨処理装置３０において収集特定者側に引き渡されてしまうことを防止することができる。
【０１２８】
次に、図１に示す貨幣処理機１０の更に他の態様について以下に説明する。
【０１２９】
図１や図３に示すような硬貨処理装置３０において、硬貨処理装置３０内に変形硬貨や異物等（以下、まとめて異物という）が取り込まれたときに、硬貨投入口３１から貯留繰出部３４に送られた異物を硬貨処理装置３０の外部に排出するような異物返却処理が行われる。このような異物返却処理は、貯留繰出部３４から搬送部３５への硬貨の繰出不良が発生したときに自動的に行われるようになっている。ここで、繰出不良とは、貯留繰出部３４内に残留する硬貨または異物があり、かつ、一定時間、貯留繰出部３４から搬送部３５へ硬貨の繰り出しが行われない状態のことをいう。
【０１３０】
硬貨処理装置３０における硬貨の異物返却処理について以下に説明する。貯留繰出部３４から搬送部３５への硬貨の繰出不良が発生した場合には、制御部１５において貯留繰出部３４に異物等があるとみなされる。この場合、一時保留部３７内に硬貨があるか否かが判断される。ここで、一時保留部３７に硬貨がある場合には、一時保留部３７にある硬貨を貨幣収納部４０に収納するか硬貨処理装置３０の外部に返却する必要がある。従来の硬貨処理装置では、一時保留部３７内に硬貨がある場合には、この一時保留部３７内の硬貨を無条件で貨幣収納部４０に送り、硬貨収納カセット４２ａ、４２ｂに収納していた。しかしながら、このような硬貨の収納時に、メッセージの表示等、操作者に対する報知を何ら行っていないため、一時保留部３７内にある硬貨がなぜ硬貨収納カセット４２ａ、４２ｂに自動的に収納されたのかが操作者には理解できないおそれがある。また、操作者は、貯留繰出部３４から搬送部３５への硬貨の繰出不良が発生したときに、一時保留部３７にある硬貨を貨幣収納部４０に収納することを望まない場合がある。
【０１３１】
このため、本実施の形態の硬貨処理装置３０では、貯留繰出部３４から搬送部３５への硬貨の繰出不良が発生した場合には、貯留繰出部３４から搬送部３５への硬貨の繰り出しを中止する。そして、一時保留部３７内に硬貨がある場合には、表示部４４における表示により、硬貨の繰出不良が発生したことを操作者に報知する。ここで、表示部４４において、操作者に対して一時保留部３７内にある硬貨を収納するか返却するかの指示を催促する。具体的には、表示部４４に、「硬貨繰出不良発生  一時保留部の硬貨を収納する場合は確定キーを押してください」という表示がなされる。
【０１３２】
そして、操作者が操作部４５の「確定キー」を押すと、一時保留部３７内にある硬貨が貨幣収納部４０に送られ、硬貨収納カセット４２ａ、４２ｂに収納される。一方、操作者が操作部４５の「取消キー」や「リセットキー」を押すと、一時保留部３７内にある硬貨が硬貨返却ボックス３３ａに送られる。そして、操作者は、硬貨返却口３３から硬貨返却ボックス３３ａを引き出すことにより、硬貨返却ボックス３３ａ内の硬貨を取り出すことができるようになる。
【０１３３】
その後、一時保留部３７内にある硬貨の収納または返却が行われて、一時保留部３７に硬貨がなくなると、駆動機構３７ｂによって一時保留部３７が排除位置ｂに移動させられる。その後、貯留繰出部３４の下部に設けられた開閉機構が開状態となることにより、貯留繰出部３４から異物が下方に落下し、一時保留部３７に送られる。その後、駆動機構３７ｂによって一時保留部３７が排除位置ｂから返却位置ｃに移動させられることにより、一時保留部３７に搬送された異物が硬貨返却ボックス３３ａに落下する。操作者は、硬貨返却口３３から硬貨返却ボックス３３ａを引き出すことにより、硬貨返却ボックス３３ａ内の異物を取り出すことができるようになる。
【０１３４】
このような硬貨処理装置３０によれば、貯留繰出部３４から搬送部３５への硬貨の繰出不良が発生した場合には、このことが表示部４４に表示されることによって、硬貨の繰出不良が発生したことを操作者は容易に理解することができるようになる。また、この際に、一時保留部３７にある硬貨を操作者の意図通りに貨幣収納部４０に収納するか硬貨処理装置３０の外部に返却することができる。
【符号の説明】
【０１３５】
１０、１０ａ  貨幣処理機
１１  筐体
１５  制御部
１６  インターフェース
２０  紙幣処理装置
２１  紙幣投入口
２２  紙幣リジェクト口
２３  紙幣返却口
２４  扉
２５  搬送部
２６  識別部
２８  紙幣返却口カバー
２９  一時保留部
３０  硬貨処理装置
３１  硬貨投入口
３１ａ  硬貨投入口カバー
３３  硬貨返却口
３３ａ  硬貨返却ボックス
３４  貯留繰出部
３５  搬送部
３５ａ  識別部
３５ｂ  分岐部材
３５ｃ  シュート
３７  一時保留部
３７ａ  底板
３７ｂ  一時保留部の駆動機構
３７ｃ  一時保留部の位置検知手段
３７ｄ  硬貨収納シュート
３７ｅ  硬貨収納シュート
３７ｆ  底板の駆動機構
３７ｇ  底板の位置検知手段
４０  貨幣収納部
４１ａ、４１ｂ  紙幣収納カセット
４１ｃ、４１ｄ  規制ユニット
４１ｅ、４１ｆ  鍵穴
４２ａ、４２ｂ  硬貨収納カセット
４２ｃ、４２ｄ  規制ユニット
４２ｅ、４２ｆ  鍵穴
４３  プリンタ
４４  表示部
４５  操作部
４６  カードリーダ
４７  記憶部
６０  追加の紙幣処理装置
６１  紙幣投入口
６２  紙幣リジェクト口
６３  紙幣返却口
６４  扉
６８  紙幣投入口カバー
７０  追加の硬貨処理装置
７１  硬貨投入口
７１ａ  硬貨投入口カバー
７３  硬貨返却口
７３ａ  硬貨返却ボックス
８０  硬貨振り分けユニット
８０ａ  受入部分
８２  搬送ベルト
８４、８６  仕切部材
【図１】
2010224738.tif 000003
【図２】
2010224738.tif 000004
【図３】
2010224738.tif 000005
【図４】
2010224738.tif 000006
【図５】
2010224738.tif 000007
【図６】
2010224738.tif 000008
【図７】
2010224738.tif 000009
【図８】
2010224738.tif 000010